(57)【特許請求の範囲】
【請求項１】
ボタン部材と、
前記ボタン部材の下方に配置されると共に、昇降可能に設けられたボビンと、
前記ボビンの近傍に配置された永久磁石と、
前記永久磁石に当接するように配置されたヨークと、
前記ボビンに巻回されると共に、通電時に前記永久磁石との間に生じるローレンツ力によって自己を上昇させるコイルと、
開口部が形成されると共に、該開口部によって前記ボタン部材の昇降を案内するように設けられた化粧板材と、
前記ボタン部材の下方に配置された支持部材と、
前記化粧板材と前記支持部材又は前記ボビンとの間に介在すると共に、前記支持部材又は前記ボビンを下方に付勢するスプリングとを有することを特徴とする遊技機用押しボタン装置。
【請求項２】
前記ボタン部材は、略有底円筒形状に形成されると共に、開口部を下側に向けて配置され、
前記支持部材は、平坦部と、該平坦部から上方に立ち上がると共に略円筒形状に形成された筒状部とを備え、前記平坦部が前記ボビンに接し、又は、接着され、前記筒状部の一部又は全部が前記ボタン部材の内部に挿入されていることを特徴とする請求項１に記載の遊技機用押しボタン装置。
【請求項３】
前記支持部材は、前記平坦部の縁辺から下方に延びると共に略円筒形状に形成された別の筒状部と、該別の筒状部の下端部に設けられたフランジ部とを備え、
前記スプリングは、下端部が前記支持部材の前記フランジ部に接していることを特徴とする請求項２に記載の遊技機用押しボタン装置。
【請求項４】
前記化粧板材は、下面側に環状溝が形成され、
前記スプリングは、上端部が前記化粧板材の前記環状溝内に挿入されていることを特徴とする請求項１から請求項３までのいずれか一項に記載の遊技機用押しボタン装置。
【請求項５】
前記ボビンは、略有底円筒形状に形成されると共に、開口部を下側に向けて配置され、
前記ヨーク及び前記永久磁石は、一部又は全部が前記ボビンの内部に進入可能に設けられていることを特徴とする請求項１から請求項４までのいずれか一項に記載の遊技機用押しボタン装置。
【請求項６】
さらに、前記ボタン部材と前記支持部材の前記筒状部とに囲まれる空間内に収納された別のスプリングを有していることを特徴とする請求項２に記載の遊技機用押しボタン装置。
【請求項７】
前記ヨークは、前記永久磁石の上面側に固定され、
さらに、略板状に形成されると共に、上面に前記永久磁石が固定された支持板材と、
前記ボビンの側方を囲むように設けられると共に、下端部が前記支持板材に固定されたケースとを有することを特徴とする請求項５又は請求項６に記載の遊技機用押しボタン装置。
【請求項８】
前記ボタン部材は、前記開口部を囲むフランジ部が形成され、該フランジ部は前記ボタン部材が上昇したときに前記化粧板材に当接して前記ボタン部材の上昇を規制するようになされていることを特徴とする請求項１から請求項６までのいずれか一項に記載の遊技機用押しボタン装置。
【請求項９】
前記ボタン部材及び前記支持部材は、前記平坦部の中央に開口部が形成され、
前記ヨークは、中央部に貫通孔が形成され、
前記永久磁石は、中央部に貫通孔が形成され、
さらに、前記ボタン部材及び前記支持部材の前記開口部に固定され、前記ヨークの前記貫通孔及び前記永久磁石の前記貫通孔を貫通するように設けられた案内部材を有することを特徴とする請求項２又は請求項６までのいずれか一項に記載の遊技機用押しボタン装置。
【発明の詳細な説明】
【技術分野】
【０００１】
本発明は、遊技機用押しボタン装置に関し、特にボタンの高さ位置を複数設定することが可能な遊技機用押しボタン装置に関する。
【背景技術】
【０００２】
遊技機用押しボタン装置は、パチンコやアーケードゲーム機に装着されるものであり、最近ではボタンが突出している高さがゲームの状況に応じて随時変わる構成して、遊技者に対する演出効果を高めることが多い。
【０００３】
以下に、ボタンの突出高さを変更することが可能な遊技機用押しボタン装置の従来技術について説明する。図１５は、従来技術に係る遊技機用押しボタン装置を模式的に示す正面図である。図１５において、１００は遊技機用押ボタン装置、１０１は被覆部、１０２は押ボタン、１０３は球面部、１０４は本体部、１０５はフランジ部、１０６は円柱部、１０７は板部材、１０８は棒状部、１０９は咬合部、１１０及び１１１はラチェット機構、１１２、１１３、１１４、１１５及び１１６は平歯車である。
【０００４】
図１５は、特開２０１２−４８９７０公報に開示された遊技機用押しボタン装置を示している。この従来技術に係る遊技機用押しボタン装置１００は、遊技者が押下する押ボタン１０２の昇降動作を可能にしたものであり、板部材１０７に押ボタン１０２を第１の高さ位置とこれよい高い第２の高さ位置との間で昇降させる棒状部１０８を備えており、さらに棒状部１０８の左右側方には咬合部１０９が形成されている。棒状部１０８の近傍には、平歯車１１２を収容したラチェット機構１１０と、平歯車１１２の回転運動を伝達する平歯車１１４及び１１５からなる回転機構と、並びに、平歯車１１３を収容したラチェット機構１１１と、平歯車１１３の回転運動を伝達する平歯車１１６からなる別の回転機構が設けられている。また、平歯車１１２と平歯車１１３とは、図示していないモータによってそれぞれ反時計回り、時計回り、つまり互いに反対方向に回転するように構成されている。さらに、平歯車１１２と平歯車１１３とは、ラチェット機構１１０とラチェット機構１１１とによって逆回転が規制される。くわえて、平歯車１１５と平歯車１１６とは、咬合部１０９に対して選択的に接するように構成されている。また、棒状部１０８の上部には円柱部１０６が一体に設けられており、押ボタン１０２の球面部１０３及び本体部１０４の内部は円柱部１０６が挿入されている。
【０００５】
以上の構成によれば、図示していない２つのモータを選択的に駆動することによって、棒状部１０８を第１の高さ位置から第２の高さ位置へ、又は、第２の高さ位置から第１の高さ位置へ昇降させることができる。押ボタン１０２は、第１の高さ位置にあるときは、図１４に示すように、被覆部１０１の開口部から球面部１０３がごく僅かに突出した状態であるが、棒状部１０８が上方すると、被覆部１０１とフランジ部１０５とが当接する高さ位置まで上昇する。遊技者が押ボタン１０２を押し下げるときには、２つのモータへの通電はそれぞれ停止されており、遊技者の手指には押ボタン１０２を介して図示していないスプリングの弾発力が伝わるように構成されている。
【０００６】
ところで、遊技者が遊技機用押しボタン装置を押し下げるときには、何の手応えもなくボタンを押し込めるよりも、手指に多少の手応えを感じながら押し込む方が心地よく感じられ、演出性がさらに高まると言える。しかしながら、２つのモータを使ったこの従来技術では、遊技者がボタンを押し込むときには、２つのモータの通電を停止せざるを得えないので、スプリングを使って手応えを感じさせる必要がある。しかし、手応えを感じさせるためのスプリングをモータや歯車と干渉しないように配置するためには、遊技機用押しボタン装置を大型にせざるを得ず、さらに構造が複雑になるので組立性も悪化することになる。
【先行技術文献】
【特許文献】
【０００７】
【特許文献１】特開２０１２−４８９７０公報
【発明の概要】
【発明が解決しようとする課題】
【０００８】
本発明は、上記課題を解決するために、ボタンの高さ位置を複数設定できると共に、遊技者が遊技機用押しボタン装置を押し下げるときには手指に手指に多少の手応えを感じながら心地よく押し込むことができ、かつ、簡素な構造を有する遊技機用押しボタン装置を提供することを目的とする。
【課題を解決するための手段】
【０００９】
請求項１に記載の発明は、ボタン部材と、前記ボタン部材の下方に配置されると共に、昇降可能に設けられたボビンと、前記ボビンの近傍に配置された永久磁石と、前記永久磁石に当接するように配置されたヨークと、前記ボビンに巻回されると共に、通電時に前記永久磁石との間に生じるローレンツ力によって自己を上昇させるコイルとを有することを特徴とする遊技機用押しボタン装置である。
【００１０】
請求項２に記載の発明は、請求項１に記載の発明において、さらに、開口部が形成されると共に、該開口部によって前記ボタン部材の昇降を案内するように設けられた化粧板材と、前記ボタン部材の下方に配置された支持部材と、前記化粧板材と前記支持部材又は前記ボビンとの間に介在すると共に、前記支持部材又は前記ボビンを下方に付勢するスプリングとを有することを特徴とする遊技機用押しボタン装置である。
【００１１】
請求項３に記載の発明は、請求項２に記載の発明において、前記ボタン部材は、略有底円筒形状に形成されると共に、開口部を下側に向けて配置され、前記支持部材は、平坦部と、該平坦部から上方に立ち上がると共に略円筒形状に形成された筒状部とを備え、前記平坦部が前記ボビンに接し、又は、接着され、前記筒状部の一部又は全部が前記ボタン部材の内部に挿入されていることを特徴とする遊技機用押しボタン装置である。
【００１２】
請求項４に記載の発明は、請求項２又は請求項３に記載の発明において前記支持部材は、前記平坦部の縁辺から下方に延びると共に略円筒形状に形成された別の筒状部と、該別の筒状部の下端部に設けられたフランジ部とを備え、前記スプリングは、下端部が前記支持部材の前記フランジ部に接していることを特徴とする遊技機用押しボタン装置である。
【００１３】
請求項５に記載の発明は、請求項２から請求項４までのいずれか一項に記載の発明において、前記化粧板材は、下面側に環状溝が形成され、前記スプリングは、上端部が前記化粧板材の前記環状溝内に挿入されていることを特徴とする遊技機用押しボタン装置である。
【００１４】
請求項６に記載の発明は、請求項１から請求項５までのいずれか一項に記載の発明において、前記ボビンは、略有底円筒形状に形成されると共に、開口部を下側に向けて配置され、前記ヨーク及び前記永久磁石は、一部又は全部が前記ボビンの内部に進入可能に設けられていることを特徴とする遊技機用押しボタン装置である。
【００１５】
請求項７に記載の発明は、請求項４又は請求項５に記載の発明において、さらに、前記ボタン部材と前記支持部材の前記筒状部とに囲まれる空間内に収納された別のスプリングを有していることを特徴とする遊技機用押しボタン装置である。
【００１６】
請求項８に記載の発明は、請求項６又は請求項７に記載の発明において、前記ヨークは、前記永久磁石の上面側に固定され、さらに、略板状に形成されると共に、上面に前記永久磁石が固定された支持板材と、前記ボビンの側方を囲むように設けられると共に、下端部が前記支持板材に固定されたケースとを有することを特徴とする遊技機用押しボタン装置である。
【００１７】
請求項９に記載の発明は、請求項２から請求項７までのいずれか一項に記載の発明において、前記ボタン部材は、前記開口部を囲むフランジ部が形成され、該フランジ部は前記ボタン部材が上昇したときに前記化粧板材に当接して前記ボタン部材の上昇を規制するようになされていることを特徴とする遊技機用押しボタン装置である。
【００１８】
請求項１０に記載の発明は、請求項１から請求項９までのいずれか一項に記載の発明において、前記ボタン部材及び前記支持部材は、前記平坦部の中央に開口部が形成され、前記ヨークは、中央部に貫通孔が形成され、前記永久磁石は、中央部に貫通孔が形成され、さらに、前記ボタン部材及び前記支持部材の前記開口部に固定され、前記ヨークの前記貫通孔及び前記永久磁石の前記貫通孔を貫通するように設けられた案内部材を有することを特徴とする遊技機用押しボタン装置である。
【発明の効果】
【００１９】
請求項１に記載の発明によれば、いわゆるボイスコイルモータと同じように、ローレンツ力によってコイル自身を上昇させるので、コイルを流れる電流値を適宜変更することによって、ボタン部材、支持部材、ボビン及びコイルを無段階に昇降させることができる。さらに、遊技者がボタン部材を押し始めたときから押し終わるまでの間に、コイルを流れる電流値を適宜変更すれば、ボタン部材を押している間の手応えに変化を持たせることができるので、演出性を高めることができる。また、設ける電動アクチュエータが１つだけなので、構造を簡素化することが可能となる。
【００２０】
請求項２に記載の発明によれば、化粧板材と支持部材又はボビンとの間にスプリングを介在させて、遊技者が感じる手応えをスプリングの弾発力とローレンツ力との２つの力から生成する構成としたので、遊技者が感じる手応えをさら複雑なものにでき、演出性をさらに高めることが可能となる。
【００２１】
請求項３に記載の発明によれば、ボタン部材の内部に支持部材の筒状部を挿入しているので、遊技者がボタン部材を押し下げるときにこの筒状部がボタン部材を案内するので、ボタン部材をスムーズに押し下げることができる。
【００２２】
請求項４に記載の発明によれば、フランジ部をスプリング受けとして利用するので、別途スプリング受けを設ける場合よりも部品点数が少なくなり、構造を簡素化できる。
【００２３】
請求項５に記載の発明によれば、スプリングの上端部を化粧板材の環状溝内に挿入するので、遊技者がボタン部材の押し下げを繰り返すうちに位置ずれして、化粧板材と支持部材又はボビンとの間の空間から脱落することをさらに確実に防止できる。
【００２４】
請求項６に記載の発明によれば、ヨーク及び永久磁石の一部又は全部をボビンの内部に進入可能としているので、ヨーク及び永久磁石がボビンの昇降を案内してボタン部材の昇降をスムーズにできる。
【００２５】
請求項７に記載の発明によれば、別のスプリングをボタン部材と支持部材の筒状部とに囲まれる空間に収納するので、遊技者が感じる手応えをさら複雑なものにでき、演出性をさらに高めることが可能となる。また、スプリング受けを設ける必要がなく、構造を簡素化することが可能となる。
【００２６】
請求項８に記載の発明によれば、ケースがボビンの側方を囲んでいるので、ケースとボビンとの配置が容易になる。
【００２７】
請求項９に記載の発明によれば、ボタン部材のフランジ部がボタン部材、支持部材、ボビン及びコイルの上昇を規制するストッパとして機能するので、別途設けたストッパをボタン部材などに取り付ける必要がなく、構造を簡素化できる。
【００２８】
請求項１０に記載の発明によれば、案内部材がヨーク及びと永久磁石を貫くように設けられているので、遊技者がボタン部材をこぶしで叩き込むなど荒々しいことをした場合でもボタン部材を垂直に降下させることができる。
【図面の簡単な説明】
【００２９】
【図１】本発明の第１の実施の形態に係る遊技機用押しボタン装置を示し、（ａ）は断面図、（ｂ）は正面図である。
【図２】本発明の第１の実施の形態に係る遊技機用押しボタン装置の使用状態を示す断面図（１）である。
【図３】本発明の第１の実施の形態に係る遊技機用押しボタン装置の使用状態を示す断面図（２）である。
【図４】本発明の第１の実施の形態に係る遊技機用押しボタン装置の使用状態を示す断面図（３）である。
【図５】本発明の第２の実施の形態に係る遊技機用押しボタン装置を示す断面図である。
【図６】本発明の第２の実施の形態に係る遊技機用押しボタン装置の使用状態を示す断面図である。
【図７】本発明の第３の実施の形態に係る遊技機用押しボタン装置を示す断面図（１）である。
【図８】本発明の第４の実施の形態に係る遊技機用押しボタン装置を示し、（ａ）は断面図、（ｂ）は正面図である。
【図９】本発明の第４の実施の形態に係る遊技機用押しボタン装置の使用状態を示す断面図である。
【図１０】本発明の第５の実施の形態に係る遊技機用押しボタン装置の使用状態を示す断面図（１）である。
【図１１】本発明の第５の実施の形態に係る遊技機用押しボタン装置の使用状態を示す断面図（２）である。
【図１２】本発明の第６の実施の形態に係る遊技機用押しボタン装置の使用状態を示す断面図である。
【図１３】本発明の第７の実施の形態に係る遊技機用押しボタン装置の使用状態を示す断面図である。
【図１４】本発明の第８の実施の形態に係る遊技機用押しボタン装置を示す断面図である。
【図１５】従来技術に係る遊技機用押しボタン装置の構造を示す断面図である。
【発明を実施するための形態】
【００３０】
まず、本発明の第１の実施の形態に係る遊技機用押しボタン装置の構成について説明する。図１は、本発明の第１の実施の形態に係る遊技機用押しボタン装置を示し、（ａ）は断面図、（ｂ）は正面図である。図１において、１０は遊技機用押しボタン装置、２０はボタン部材、２１は天板部、２２は筒状部、２３はフランジ部、３０は支持部材、３１は平坦部、３１ａは肉厚部分、３１ｂはねじ孔、３２は別の筒状部、３３は筒状部、３４は中空部、３５はフランジ部、４０は永久磁石、４１は貫通孔、４５はヨーク、４６は貫通孔、４７は突出部、５０はボビン、５１は基盤部、５２は筒状部、５３は溝部、５４は凹陥部、５５はねじ孔、５６は下端板部、５７はコイル、５８はリード線、６０はスプリング、７０は化粧板材、７１は開口部、８０は支持板材、８１及び８２は肉薄部、８３及び８４はねじ孔、８５は突出部、９０はケース、９１は基礎板材、９１ａ及び９１ｂはねじ孔、９２、９３、９４及び９５は支柱材、９６は手指である。また、図３は、本発明の第１の実施の形態に係る遊技機用押しボタン装置の使用状態を示す断面図（２）である。図３において、４８及び５９は傾斜面であり、その他の符号は図１と同じものを示す。なお、図１を及びその他の図において、ねじ孔３１ｂ及び５５にねじ込んだねじ、の記載を省略している。
【００３１】
図１に示すように、本発明の第１の実施の形態に係る遊技機用押しボタン装置１０は、いわゆるムービングコイルの原理を応用したものであり、パチンコやアーケードゲーム機などの遊技機に好適なものである。また、コイル５７に通電したときに、永久磁石４０、ヨーク４５、支持板材８０及びケース９０からなる磁気回路との間に生じるローレンツ力によって、スプリング６０が支持部材３０を押し下げる弾発力に抗してコイル５７が上昇するように構成されている。さらに、コイル５７を流れる電流値を変化させると、生成されるローレンツ力の大きさも変化するので、ローレンツ力とスプリング６０の弾発力とが釣り合うコイル５７の高さ位置を適宜変更することができる。そこで、遊技機用押しボタン装置１０は、コイル５７への通電若しくは非通電、又は、通電する電流値を適宜変更することによって、ボタン部材２０の昇降させる、あるいは、任意の高さ位置で停止させることを実現している。さらに、各構成部品について詳しく説明する。
【００３２】
ボタン部材２０は、遊技者が直接操作する構成部品であり、全体が略逆有底円筒形状に形成されている。天板部２１は略円形板状に形成されており、指先や手のひらによって押される部分である。なお、天板部２１は、装着する遊技機の構成等に応じて半球形状など他の形状にしてもよい。筒状部２２は、上端部に設けられた天板部２１を支持するものであり、化粧板材７０の開口部７１に案内されつつ昇降する。また、フランジ部２３は、筒状部２２の下端部に設けられ、ボタン部材２０の上昇時に、化粧板材７０の開口部７１の周辺部分に当接することによって、ボタン部材２０の上昇を規制する役割を持つ。
【００３３】
支持部材３０は、ボビン５０と一体的に接続されると共に、ボタン部材２０を支持する役割を持つ。支持部材３０は、平坦部３１の上面から筒状部３３が上方に延び、平坦部３１の下面から別の筒状部３２が下方に延びている。平坦部３１は、全体の基盤となる部分であり、略円板形状に形成されている。また、平坦部３１の中央は、周辺部分よりも肉厚な肉厚部分３１ａとして形成されており、さらに肉厚部分３１ａの中心にはボビン５０と一体にするためのねじ孔３１ｂが形成されている。筒状部３３は、略円筒形状に形成されており、ボタン部材２０の筒状部２２の開口部から挿入されている。また、筒状部３３の外周面と筒状部２２の内周面とは軽く接した状態に設けられており、筒状部３３は筒状部２２に接しつつ昇降する。したがって、筒状部３３は、ボビン５０の昇降に連動して昇降するときにはボタン部材２０の筒状部２２によって案内されつつ摺動する。また、後述するように、支持部材３０が降下した後に、遊技者がボタン部材２０を押し下げる場合には、ボタン部材２０の筒状部２２は筒状部３３によって案内されつつ摺動する。また、支持部材３０及びボタン部材２０を透光性の材料で形成し、筒状部３３の中空部３４に発光する構成部品を入れて、ボタン部材２０がゲームの状況に応じて様々な色で光るようにして演出性を高めてもよい。
【００３４】
別の筒状部３２は、平坦部３１の縁辺部から下方に延びており、略円筒形状に形成されている。また、支持部材３０及びボビン５０が昇降するときに、ボビン５０から引き出されたリード線５８がケース９０に当接して支持部材３０及びボビン５０の昇降を妨げることがないように、別の筒状部３２とボビン５０との間にリード線５８の配線用の間隙を設け、リード線５８を別の筒状部３２の内周面に接するように配置している。したがって、支持部材３０及びボビン５０が昇降するときに、別の筒状部３２とケース９０とが接することはない。さらに、別の筒状部３２の下端部には、フランジ部３５が設けられている。フランジ部３５は、後述するように、スプリング６０の下端部のスプリング受けとなる部分である。なお、この実施の形態では、別の筒状部３２と筒状部３３とを互いに異なる径となるように形成しているが、両者を同じ径で形成してもよい。また、後述するように、スプリングを設けることがない場合には、別の筒状部３２及びフランジ部３５を省略してもよい。
【００３５】
永久磁石４０は、略円柱形状に形成されると共に、支持板材８０上に設けられている。また、永久磁石４０の中心軸に沿うように貫通孔４１が形成されており、遊技機用押しボタン装置１０の組立時には、貫通孔４１に支持板材８０の突出部８５を挿入することによって永久磁石４０の位置決めが容易にできる。ヨーク４５は、永久磁石４０と同じ径の略円柱形状に形成されると共に、永久磁石４０上に設けられている。また、永久磁石４０と同様に貫通孔４６が形成されており、貫通孔４６の周辺部分に形成された突出部４７を永久磁石４０の貫通孔４１に挿入することによってヨーク４５の位置決めが容易にできる。さらに、図３に示すように、ボビン５０が下降したときに、ボビン５０の筒状部５２がヨーク４５の上端部に引っ掛かることがないように、ヨーク４５の上端部の縁辺に面取りを施して傾斜面４８としている。また、後述するように、永久磁石４０及びヨーク４５の中心軸は、支柱材９２などによって、ボビン５０の筒状部５２と支持部材３０の筒状部３３の中心軸と一致するように配置されており、またこの中心軸に沿って昇降する。
【００３６】
ボビン５０は、図１に示すように、支持部材３０の下に配置されると共に、下降したときに基盤部５１と基盤部５１から下方に延びる筒状部５２とが永久磁石４０及びヨーク４５を囲むように設けられている。基盤部５１は、略円板形状に形成されており、中心にねじ孔５５が形成されている。ねじ孔５５には、支持部材３０に一体にするためのねじがねじ込まれる。また、基盤部５１の下面は、ボビン５０が下降したときに、ヨーク４５に接した、又は、非常に接近した状態となるが、このときにねじの頭がヨーク４５の貫通孔４６に引っ掛かることを防止するために、凹陥部５４を設けてねじとヨーク４５とが接することがないようにしている。さらに、基盤部５１の周側面には、配線用に溝部５３を設けており、コイルワイヤとリード線５８とは溝部５３内の図示していない部位において結線されている。なお、ボビン５０と支持部材３０とを接着剤で一体にし、凹陥部５４及びねじ孔５５を形成しない構成としてもよい。
【００３７】
筒状部５２は、略円筒形状に形成されたコイル５７の巻き胴である。また、筒状部５２は、永久磁石４０及びヨーク４５に接してボビン５０の昇降を妨げることがないように、永久磁石４０及びヨーク４５との間に僅かな間隙を生じる径に形成されている。筒状部５２の内周面の基盤部５１に最も近い領域は傾斜面５９として形成されている。傾斜面５９は、永久磁石４０及びヨーク４５の中心軸に対してヨーク４５の傾斜面４８と同一の傾斜角を有しており、ボビン５０が最も低い高さ位置にあるときには、これらの面が接するようになされている。一方、筒状部５２の下端板部５６は、ボビン５０が最も低い高さ位置にあるときでも、支持板材８０に接するとことはない。したがって、ボビン５０は傾斜面５９と傾斜面４８とが当接することによって下降が規制されるが、これらの面が下降方向に対して傾斜していることからボビン５０や、これと一体的に設けられた支持部材３０などに加わる衝撃を和らげる効果がある。
【００３８】
コイル５７は、通電時にスプリング６０の弾発力に打ち勝って、ボタン部材２０のフランジ部２３が化粧板材７０の開口部７１の周辺部分に当接する高さ位置までボビン５０や支持部材３０などを押し上げるのに必要なターン数に巻かれている。また、特に図示しないが、コイル５７を流れる電流値を漸増すると、通電によって生成されるローレンツ力とスプリング６０の弾発力と釣り合いが取れるボタン部材２０の高さ位置が徐々に高くなるので、ボタン部材２０の高さ位置は無段階に設定することができる。また、途中で通電を停止すれば、ボタン部材２０は最も低い高さ位置まで急激に降下する。したがって、ゲームの局面に応じてボタン部材２０の高さが徐々に高くなり、又は、急激に低下して遊技者がボタン部材２０を押せなくなるなど様々な演出が容易に実現できる。また、遊技者がボタン部材２０を押したことを検出するセンサーを設け、ボタン部材を押し始めたときから押し終わるまでの間に、検出結果に応じてコイルを流れる電流値を適宜変更すれば、遊技者が心地よくボタン部材２０を押すことが可能になる。
【００３９】
支持板材８０は、永久磁石４０及びケース９０を設ける基盤となるものであり、略円板形状に形成されている。また、支持板材８０の上面中央には永久磁石４０の位置決めのための突出部８５が形成され、さらに上面縁辺には肉薄部８１及び８２が形成されている。なお、この実施の形態では、肉薄部８１と肉薄部８２とは連続した一体的なものとしているが、これらの肉薄部の一部を肉厚に形成して、ケース９０を所定の向きに固定できるようにしてもよい。くわえて、支持板材８０の縁辺近くには、基礎板材９１に固定するためのねじ孔８３及び８４が形成されている。ケース９０は、略円筒形状に形成されると共に、永久磁石４０、ヨーク４５及び支持板材８０と共に磁気回路を構成するために、永久磁石４０及びヨーク４５を側方から囲んでいる。また、ケース９０は、ボビン５０の筒状部５２との間に僅かな間隙があり、通常は下端板部５６に接することはないが、遊技者がこぶしや手のひらでボタン部材２０を叩き込んだときには、ボビン５０の下端板部５６に当接することによって、ボビン５０やボタン部材２０が傾くことを規制する効果を奏する。なお、ケース９０の一部を切り欠いて、この切り欠きにリード線５８を通してもよい。
【００４０】
化粧板材７０は、略方形板形状に形成されており、ボタン部材２０の天板部２１及び筒状部２２と共に遊技者の目に触れる構成部品である。また、化粧板材７０は、図１（ａ）及び（ｂ）に示すように、支柱材９２、９３、９４及び９５を介して基礎板材９１と接続されている。くわえて、スプリング６０の上端部が下面側に接している。また、化粧板材７０の中央には、ボタン部材２０を挿通した開口部７１が形成されている。開口部７１は、ボタン部材２０と永久磁石４０及びヨーク４５の中心軸を一致させ、さらにボタン部材２０の摺動を確実に案愛させるために、ボタン部材２０との間の間隙を僅かなものとしている。化粧板材７０の開口部７１の周辺部分は、ボタン部材２０のフランジ部２３に当接することによって、ボタン部材２０の上昇を規制するので、ボタン部材２０のストッパとしての役割も持つ。基礎板材９１は、基礎板材９１は、支持板材８０、化粧板材７０を初めとする構成部品を一体にする役割を持つ。すなわち、基礎板材９１は、略方形板形状に形成されており、支持板材８０に対応する位置に、ねじ孔９１ａ及び９１ｂが形成され、支柱材９２、９３、９４及び９５に対応する位置に図示しないねじ孔が１つずつ形成されている。さらに、特に図示しないが、遊技機に装着するためのねじ孔なども形成される。
【００４１】
続けて、本発明の第１の実施の形態に係る遊技機用押しボタン装置の使用状態について説明する。図２は、本発明の第１の実施の形態に係る遊技機用押しボタン装置の使用状態を示す断面図（１）である。図２において、Ｆはコイルへの通電によって生成されるローレンツ力の大きさを示し、その他の符号は図３と同じものを示す。なお、符号Ｆの近傍の矢印はローレンツ力の大きさを模式的に示している。また、図４は、本発明の第１の実施の形態に係る遊技機用押しボタン装置の使用状態を示す断面図（３）である。図４において用いた符号は、すべて図３と同じものを示す。
【００４２】
コイル５７を流れる電流値を最大定格値にすると、通電によって生成されるローレンツ力Ｆも大きくなり、図２（ａ）に示すように、スプリング６０の弾発力に完全に打ち勝ってボビン５０を押し上げ、ボタン部材２０のフランジ部２３が化粧板材７０の開口部７１の周辺部分に当接するまで上昇する。フランジ部２３が開口部７１の周辺部分に当接して停止した状態がボタン部材２０の最高の高さ位置となる。この状態では、遊技者がボタン部材２０の天板部２１を押さえ付けても、押し下げることはできない。また、コイル５７を流れる電流値を相対的に小さくすると、ローレンツ力Ｆが小さくなり、図２（ｂ）に示すように、スプリング６０の弾発力の方が大きくなって支持部材３０を介してボビン５０を押し下げ、２つの力が均衡するところで停止する。
【００４３】
ここで、図３（ｃ）に示すように、遊技者が手指９６でボタン部材２０を押し下げると、簡単に最も低い高さ位置、すなわち図３（ｄ）に示すように、天板部２１が支持部材３０の筒状部３３の上端部に接するところまで下がる。ただし、ボタン部材２０を押し下げるにしたがってスプリング６０の弾発力が大きくなるので、簡単に最も低い高さ位置の近傍においては、押し下げに比較的大きな力が必要となる。なお、遊技者が最も低い高さ位置まで押し下げる際に、図３（ｄ）のローレンツ力Ｆに示すように、コイル５７を流れる電流値をさらに小さくすると押し下げが容易になる。
【００４４】
また、コイル５７を流れる電流値を図２（ｂ）に示す状態よりも小さくすると、図４（ｅ）に示すように、ボタン部材２０の高さ位置がさらに低くなる。この状態では、ボタン部材２０をボビン５０のフランジ部２３が支持部材３０の平坦部３１に当接するところまで非常に短い時間で押し下げることができる。ボタン部材２０を簡単に最も低い高さ位置まで押し下げると、図４（ｆ）に示すように、天板部２１が化粧板材７０の上面と同じ高さ位置になる。当然のことながら、例えばゲームの展開に応じて、ボビン５０の高さ位置を図２（ａ）の状態から図４（ｅ）の状態とし、次に図４（ｆ）としてから所定時間経過後に図２（ａ）の状態に戻すことなどを自在に行うことができる。さらに、図４（ｅ）の状態において、遊技者が手指９６でボタン部材２０を押し下げたことを検出したときに、コイル５７への通電を直ちに停止せずに、一定時間の間に漸減して複雑な手応えを演出するなども自在に行うことができる。
【００４５】
以上のように、本発明の第１の実施の形態に係る遊技機用押しボタン装置１０によれば、ローレンツ力によってコイル５７自身を上昇させることによって、ボビン５０と一体的に設けられた支持部材３０を上昇させ、さらに支持部材３０の上にあるボタン部材２０を無段階に昇降させることができる。さらに、遊技者がボタン部材２０を押し始めたときから押し終わるまでの間に、コイル５７を流れる電流値を適宜変更することによって、ボタン部材２０を押している間の手応えに変化を持たせることができるので、演出性を高めることができる。くわえて、化粧板材７０と支持部材３０との間にスプリング６０を介在させて、遊技者が感じる手応えをスプリング６０の弾発力とローレンツ力との２つの力から生成する構成としたので、遊技者が感じる手応えをさら複雑なものにでき、演出性をさらに高めることが可能となる。また、設ける電動アクチュエータが以上の構造１つだけなので、構造を簡素化することが可能となる。
【００４６】
さらに、ボタン部材２０の内部に支持部材３０の筒状部３３を挿入しているので、遊技者がボタン部材２０を押し下げるときに筒状部３３がボタン部材２０を案内するので、ボタン部材２０をスムーズに押し下げることができる。また、スプリング６０を支持部材３０の下端部をフランジ部３５に接した状態に設けるので、スプリング受けを設ける必要がなく、構造を簡素化することが可能となる。さらに、ヨーク４５及び永久磁石４０の一部又は全部をボビン５０の筒状部５２の内部に進入可能としているので、ヨーク４５及び永久磁石４０がボビン５０の昇降を案内してボタン部材２０の昇降をスムーズにできる。くわえて、ケース９０がボビン５０の側方を囲んでいるので、ケース９０とボビン５０と干渉することなく、かつ、これらを設ける空間をコンパクトなものにできる。さらに、ボタン部材２０のフランジ部２３がボタン部材２０、支持部材３０、ボビン５０及びコイル５７の上昇を規制するストッパとして機能するので、別途設けたストッパをボタン部材２０などに取り付ける必要がなく、構造を簡素化できる。
【００４７】
さらに、本発明の第２の実施の形態に係る遊技機用押しボタン装置について説明する。図５は、本発明の第２の実施の形態に係る遊技機用押しボタン装置を示す断面図である。図５において、６１はスプリングであり、その他の符号は図１と同じものを示す。また、図６は、本発明の第２の実施の形態に係る遊技機用押しボタン装置の使用状態を示す断面図である。図６において用いた符号は、すべて図５と同じものを示す。
【００４８】
本発明の第２の実施の形態に係る遊技機用押しボタン装置１０は、図５に示すように、第１の実施の形態に係るものに対して、スプリング６１を付加した構成としている。すなわち、スプリング６１の上端部がボタン部材２０の天板部２１に接し、下端部が支持部材３０の平坦部３１に接するように設け、支持部材３０を押し下げるような弾発力を常時支持部材３０の平坦部３１に加える構成としている。また、スプリング６１は、天板部２１と筒状部３３とで囲まれた空間内に配置されているので、長期間使用している間に位置ずれして離脱するようなことがない。さらに、図６に示すように、スプリング６１は、スプリング６０とばね定数が異なり、遊技者がボタン部材２０を押し下げているときに、互いに異なる弾発力でボタン部材２０を押し返すように構成されている。その他の構成は、第１の実施の形態に係る遊技機用押しボタン装置１０と同じである。
【００４９】
以上のように、本発明の第２の実施の形態に係る遊技機用押しボタン装置１０は、互いにばね定数が異なるスプリング６０とスプリング６１とを設け、スプリング６０の弾発力とローレンツ力に加えて、スプリング６１の弾発力の３つの力によって遊技者が感じる手応えを生成する構成としたので、遊技者がボタン部材を押し始めたときから押し終わるまでの間、遊技者が感じる手応えをさら複雑なものにでき、演出性をさらに高めることが可能となる。また、スプリング６１を付加するので、第１の実施の形態に係るものよりも構成が複雑になるが、天板部２１と筒状部３３とで囲まれた空間内に配置するので、組立工程自体には第１の実施の形態に係るものとほとんど相違がなく、従来技術に係る遊技機用押しボタン装置よりも組立が容易である。さらに、別途スプリング受けを設ける場合よりも部品点数が少なくなり、遊技機用押しボタン装置の構造を簡素化できる。
【００５０】
次に、本発明の第３の実施の形態に係る遊技機用押しボタン装置について説明する。図７は、本発明の第３の実施の形態に係る遊技機用押しボタン装置を示す断面図である。図７において、２４はフランジ部、６２はスプリングであり、その他の符号は図１と同じものを示す。
【００５１】
本発明の第３の実施の形態に係る遊技機用押しボタン装置は、図７に示すように、ボタン部材２０のフランジ部２４とスプリング６２とに特徴がある。第１の実施の形態に係るものでは、ボタン部材２０のフランジ部２３がボタン部材２０の上昇を規制する役割のみを持っていたが、この実施の形態に係る遊技機用押しボタン装置１０では、スプリング６２の上端部が化粧板材７０の下面に接し、下端部がフランジ部２４に接するようにしている。すなわち、フランジ部２４の幅を大きくして、フランジ部２４がストッパとしての役割と、ばね受けとしての役割を併せ持つようにしている。また、スプリング６２は、スプリング６０とは異なるばね定数を有する。したがって、図８に示すように、遊技者がボタン部材２０を押し下げたときには、スプリング６０及びスプリング６２の弾発力とローレンツ力によってさらに複雑な手応えを生成することが可能となる。
【００５２】
以上のように、本発明の第３の実施の形態に係る遊技機用押しボタン装置１０は、スプリングを２つのみ設ける点において第２の実施の形態に係るものと同様であるが、支持部材３０の筒状部３３にスプリングがないので、筒状部３３の中空部３４に発光する構成部品を入れたときに、スプリングが光を遮ることがなく、ボタン部材２０の筒状部２２を透過する光が美しく見えるという利点がある。また、スプリング６０及びスプリング６２の弾発力とローレンツ力によって遊技者にさらに複雑な手応えを感じさせることができる。
【００５３】
続けて、本発明の第４の実施の形態に係る遊技機用押しボタン装置について説明する。図８は、本発明の第４の実施の形態に係る遊技機用押しボタン装置を示し、（ａ）は断面図、（ｂ）は正面図である。図８において、２５は天板部材、２５ａは凹陥部、２６は筒状部材、２７は上部、２８は周側面部、２９はフランジ部、３６は支持部材、３７は平坦部、３７ａは肉厚部分、３７ｂはねじ孔、３８は筒状部、６３はスプリング、７２は化粧板材、７３は開口部、７４は環状溝部、９７は基礎板材、９７ａ及び９７ｂはねじ孔であり、その他の符号は図１と同じものを示す。図９は、本発明の第４の実施の形態に係る遊技機用押しボタン装置の使用状態を示す断面図である。図９において用いた符号は、すべて図８と同じものを示す。
【００５４】
本発明の第４の実施の形態に係る遊技機用押しボタン装置は、第１から第３までの実施の形態に係るものよりも設置面積を小さくすることを図ったものである。図８及び図９に示すように、第１から第３までの実施の形態におけるボタン部材２０に代えて、天板部材２５と筒状部材２６とを設けている。天板部材２５は、遊技者の手指で直接的に押し下げられる構成部品であり、略円板形状に形成されているが、平面視における面積はボタン部材２０の天板部２１と同じである。また、天板部材２５は、下面側に凹陥部２５ａを設けて凹陥部２５ａに筒状部材２６を接着している。筒状部材２６は、凹陥部２５ａに接着されて天板部材２５を支持する上部２７、支持部材３６の筒状部３８が挿入された周側面部２８、及び、第１から第３までの実施の形態におけるフランジ部２３と同様にストッパとして機能するフランジ部２９を備えている。周側面部２８は、小型化を図るために、ボタン部材２０の筒状部２２よりもかなり径を小さくしている。
【００５５】
支持部材３６は、全体が略円板形状に形成され、平坦部３７、肉厚部分３７ａ、ねじ孔３７ｂ及び筒状部３８を備えているが、これらの部分は第１から第３までの実施の形態における支持部材３０と同様に機能する。ただし、小型化を図るために筒状部３８も径を小さくしている。また、小型化を図るために、別の筒状部は設けていない。さらに、この実施の形態においては、第１から第３までの実施の形態における化粧板材７２と基礎板材９１とに代えて、平面視における面積がさらに小さい化粧板材７２と基礎板材９７と設けている。化粧板材７２は、開口部７３で筒状部２６の昇降を案内すると共に、下面側にスプリング６３を保持するための環状溝部７４を形成している。基礎板材９７は、基礎板材９１と同様にねじ孔９７ａ及び９７ｂを形成している。また、スプリング６３の上端部が化粧板材７０の環状溝部７４内に挿入されて環状溝部７４の底面に当たる面に接し、下端部がボビン５０の基盤部５１の上面に接するように設け、ボビン５０を押し下げるような弾発力を常時基盤部５１に加える構成としている。
【００５６】
以上のように、本発明の第３の実施の形態に係る遊技機用押しボタン装置１０は、スプリングを１つのみ設ける点において第１の実施の形態に係るものと同様であるが、ボタン部材に相当するものとして天板部材２５と筒状部材２６とを設けることによって、遊技者の手指に当たる部分の面積を小さくすることなく、設置面積を小さくしているという利点がある。環状溝部７４を設けたので、スプリングを配置するスペースを確保できる。さらに、ボビン５０の基盤部５１をスプリング受けとして利用するので、別途スプリング受けを設ける場合よりも部品点数が少なくなり、本発明の第４の実施の形態に係るものと同様に小型化できる。
【００５７】
さらに、本発明の第５の実施の形態に係る遊技機用押しボタン装置について説明する。図１０は、本発明の第５の実施の形態に係る遊技機用押しボタン装置の使用状態を示す断面図（１）である。図１１において、６４はスプリングであり、その他の符号は図９と同じものを示す。また、図１１は、本発明の第５の実施の形態に係る遊技機用押しボタン装置の使用状態を示す断面図（１）である。図１１において用いた符号は、すべて図１０と同じものを示す。
【００５８】
本発明の第５の実施の形態に係る遊技機用押しボタン装置１０は、図１０及び図１１に示すように、第４の実施の形態に係るものに対して、スプリング６４を付加した構成としている。すなわち、小型化を図るためにスプリング６３の径をかなり小さいものとし、これを収納する筒状部３８も径を小さくしている。さらに、図１２に示すように、スプリング６４は、スプリング６３とばね定数が異なり、遊技者が天板部材２５を押し下げているときに、互いに異なる弾発力で天板部材２５を押し返すように構成されている。その他の構成は、第４の実施の形態に係る遊技機用押しボタン装置１０と同じである。
【００５９】
以上のように、本発明の第５の実施の形態に係る遊技機用押しボタン装置１０は、互いにばね定数が異なるスプリング６３とスプリング６４とを設け、スプリング６０の弾発力とローレンツ力に加えて、スプリング６１の弾発力の３つの力によって遊技者が感じる手応えを生成する構成としたので、図１２に示すように、遊技者がボタン部材を押し始めたときから押し終わるまでの間、遊技者が感じる手応えをさら複雑なものにでき、演出性をさらに高めることが可能となる。
【００６０】
次に、本発明の第６の実施の形態に係る遊技機用押しボタン装置について説明する。図１２は、本発明の第６の実施の形態に係る遊技機用押しボタン装置の使用状態を示す断面図である。図１２において、３９は平坦部、６５及び６６スプリングであり、その他の符号は図９と同じものを示す。
【００６１】
本発明の第６の実施の形態に係る遊技機用押しボタン装置１０は、図１２に示すように、支持部材３６の平坦部３９に特徴がある。第５の実施の形態に係るものでは、スプリング６４の下端部がボビン５０の基盤部５１の上面に接するようにしていたが、この実施の形態に係る遊技機用押しボタン装置１０では、スプリング６６の下端部が平坦部３９に接するようにしている。したがって、ボビン５０の基盤部５１の剛性が十分でなく、スプリング受けとして利用できない場合などに好適な実施の形態と言える。
【００６２】
次に、本発明の第７の実施の形態に係る遊技機用押しボタン装置について説明する。図１３は、本発明の第７の実施の形態に係る遊技機用押しボタン装置の使用状態を示す断面図である。図１３において、４９は案内部材、７５は開口部、８６は貫通孔であり、その他の符号は図１と同じものを示す。
【００６３】
本発明の第７の実施の形態に係る遊技機用押しボタン装置１０は、図１３（ａ）に示すように、支持部材３６の平坦部３９に特徴がある。第５の実施の形態に係るものでは、支持部材３０のねじ孔３１ｂとボビン５０のねじ孔５５に、案内部材４９をねじ込んでいる。さらに、支持板材８０の中央に貫通孔８６を形成して、案内部材４９の下端部が進入できるようにしている。案内部材４９は、角棒状に形成されており、上端部にねじを切ってある。このように構成することによって、図１３（ｂ）に示すように、ボビン５０が最も低い高さ位置まで下降したときに、案内部材４９がヨーク４５、永久磁石４０及び支持板材８０を貫いた状態となる。また、化粧板材７０の開口部７５は、ボタン部材２０の筒状部２２との間に比較的大きな間隙を設けている。したがって、この実施の形態に係る遊技機用押しボタン装置１０は、他の実施の形態の遊技機用押しボタン装置と異なり、化粧板材７０はボタン部材２０の昇降を案内せず、代わりに案内部材４９が支持板材８０等の昇降を案内する構成としている。したがって、例えば遊技者がボタン部材２０をこぶしで叩き込むなど荒々しいことをした場合でも、ボタン部材２０が傾くことなく垂直に降下するようにできる。また、化粧板材の開口部とボタン部材との間に比較的大きな間隙を設けたい場合に好適と言える。
【００６４】
さらに、本発明の第８の実施の形態に係る遊技機用押しボタン装置について説明する。図１４は、本発明の第７の実施の形態に係る遊技機用押しボタン装置の使用状態を示す断面図である。図１４において、７６はボタン部材、７７は天板部、７８は筒状部、７９は平坦部、７９ａは肉厚部分、７９ｂはねじ孔、７９ｃはフランジ部分であり、その他の符号は図１と同じものを示す。
【００６５】
本発明の第８の実施の形態に係る遊技機用押しボタン装置１０は、図１４に示すように、ボタン部材７６を天板部７７と筒状部７８とに加えて平坦部７８を設け、さらに平坦部７８肉厚部分７９ａ、ねじ孔７９ｂ及びフランジ部分７９ｃを設けている。すなわち、支持部材をボタン部材７６に一体化した構成となっている。また、スプリングは設けていない。したがって、この実施の形態では、支持部材を設ける必要がないので、他の実施の形態に係る遊技機用押しボタン装置よりもさらに構造を簡素化できる。また、スプリングを設けていないので、遊技者に対する手応えの演出性は他の実施の形態よりも落ちるが、ボタン部材２０の昇降させる、あるいは、任意の高さ位置で停止させることを実現している。
【００６６】
なお、本発明は、以上に説明した内容に限定されるものではなく、例えば本発明の第１〜第８の実施の形態の各々の特徴を組み合わせるなど、各請求項に記載した範囲を逸脱しない限りにおいて種々の変形を加えることが可能である。
【符号の説明】
【００６７】
１０    遊技機用押しボタン装置
２０    ボタン部材
２１    天板部
２２    筒状部
２３    フランジ部
２４    フランジ部
２５    天板部材
２５ａ  凹陥部
２６    筒状部材
２７    上部
２８    周側面部
２９    フランジ部
３０    支持部材
３１    平坦部
３１ａ  肉厚部分
３１ｂ  ねじ孔
３２    別の筒状部
３３    筒状部
３４    中空部
３５    フランジ部
３６    支持部材
３７    平坦部
３７ａ  肉厚部分
３７ｂ  ねじ孔
３８    筒状部
３９    平坦部
４０    永久磁石
４１    貫通孔
４５    ヨーク
４６    貫通孔
４７    突出部
４８    傾斜面
４９    案内部材
５０    ボビン
５１    基盤部
５２    筒状部
５３    溝部
５４    凹陥部
５５    ねじ孔
５６    下端板部
５７    コイル
５８    リード線
５９    傾斜面
６０    スプリング
６１    スプリング
６２    スプリング
６３    スプリング
６５    スプリング
６６    スプリング
７０    化粧板材
７１    開口部
７２    化粧板材
７３    開口部
７４    環状溝部
７５    開口部
７６    ボタン部材
７７    天板部
７８    筒状部
７９    平坦部
７９ａ  肉厚部分
７９ｂ  ねじ孔
７９ｃ  フランジ部分
８０    支持板材
８１    肉薄部
８２    肉薄部
８３    ねじ孔
８４    ねじ孔
８５    突出部
８６    貫通孔
９０    ケース
９１    基礎板材
９１ａ  ねじ孔
９１ｂ  ねじ孔
９２    支柱材
９３    支柱材
９４    支柱材
９５    支柱材
９６    手指
９７    基礎板材
９７ａ  ねじ孔
９７ｂ  ねじ孔
１００  遊技機用押ボタン装置
１０１  被覆部
１０２  押ボタン
１０３  球面部
１０４  本体部
１０５  フランジ部
１０６  円柱部
１０７  板部材
１０８  棒状部
１０９  咬合部
１１０  ラチェット機構
１１１  ラチェット機構
１１２  平歯車
１１３  平歯車
１１４  平歯車
１１５  平歯車
１１６  平歯車
【図１】
0006028172.tif 000002
【図２】
0006028172.tif 000003
【図３】
0006028172.tif 000004
【図４】
0006028172.tif 000005
【図５】
0006028172.tif 000006
【図６】
0006028172.tif 000007
【図７】
0006028172.tif 000008
【図８】
0006028172.tif 000009
【図９】
0006028172.tif 000010
【図１０】
0006028172.tif 000011
【図１１】
0006028172.tif 000012
【図１２】
0006028172.tif 000013
【図１３】
0006028172.tif 000014
【図１４】
0006028172.tif 000015
【図１５】
0006028172.tif 000016